(57)【特許請求の範囲】
【請求項１】
紙葉類が挿入される挿入口と、前記挿入口に挿入された紙葉類を搬送する搬送路と、を備えており、
前記搬送路は、挿入口に連結して設けられる第１搬送路と、前記第１搬送路から下流側に向けて延出し、前記第１搬送路に対して所定角度傾斜した第２搬送路とを備え、
前記第２搬送路に、紙葉類の挿入口方向に向けての搬送を阻止するシャッタ部材を設置し、
前記シャッタ部材は、前記第２搬送路を形成する開閉可能な開閉部材のフレームに回動可能に支持される支軸と、該支軸と一体に形成されて前記第２搬送路に向けて突出するシャッタとしての可動片とを有し、前記可動片にはその先端と前記支軸との間の回動方向端面側の位置に規制部が形成され、この規制部が前記フレームの停止壁に当接することで前記可動片の前記挿入口側に向けての回動が規制されることを特徴とする紙葉類処理装置。
【請求項２】
前記シャッタ部材は前記可動片と反対側に係止片を有し、この係止片の係止部には、前記可動片を前記前記挿入口側に向けて付勢する付勢手段が係止されることを特徴とする請求項１に記載の紙葉類処理装置。
【請求項３】
前記第２搬送路の下面部分には、前記シャッタ部材の先端部分が当接する位置に凹部が形成されていることを特徴とする請求項１または請求項２に記載の紙葉類処理装置。
【発明の詳細な説明】
【技術分野】
【０００１】
本発明は、挿入口に挿入された紙幣、カード、クーポン券等（以下、これらを紙葉類と総称する）の引き抜き行為を防止する紙葉類処理装置に関する。
【背景技術】
【０００２】
一般的に、紙葉類処理装置の一態様である紙幣処理装置は、利用者によって紙幣挿入口から挿入された紙幣の真贋を判定し、真正と判定された紙幣価値に応じて、各種の商品やサービスを提供するサービス機器、例えば遊技場に設置されている遊技媒体貸出機、或いは、公共の場に設置されている自動販売機や券売機等に組み込まれている。このような紙幣処理装置は、紙幣挿入口に挿入された紙幣を搬送する紙幣搬送機構、搬送される紙幣の有効性を判定（真贋判定とも称する）する紙幣識別部を備えている。
【０００３】
上記したような紙幣処理装置では、紙幣が紙幣挿入口から挿入された後、不正行為を目的として引き抜かれることを防止する必要がある。例えば、特許文献１には、紙幣挿入口に挿入された紙幣をローラ等によって排出口に搬送する紙幣処理装置において、前記排出口の手前の部分に、フレームから突出する舌片を設けた構成が開示されている。この舌片は、紙幣が移動する搬送路の表面に傾斜して立ち上がるように形成されており、紙幣の搬送方向の移動を傾斜面に沿って許容すると共に、紙幣が反対方向に移動（引き抜き方向への移動）した際には、舌片に引っ掛かるようにしている。
【特許文献１】実開昭６３−８９１８１号公報
【発明の開示】
【発明が解決しようとする課題】
【０００４】
上記した特許文献１に開示されている紙幣処理装置では、紙幣挿入口から排出口に至る紙幣の搬送路は直線状に形成されているため、挿入口から舌片を確認することが可能となる。このため、挿入口から異物を差し込んで紙幣と舌片の係合を解除させ、紙幣の引き抜き行為が行われる可能性がある。
【０００５】
本発明は、上記した事情に着目してなされたものであり、紙幣等の紙葉類の引き抜き行為を防止可能な紙葉類処理装置を提供することを目的とする。
【課題を解決するための手段】
【０００６】
上記した目的を達成するために、本発明の紙葉類処理装置は、紙葉類が挿入される挿入口と、前記挿入口に挿入された紙葉類を搬送する搬送路と、を備えており、前記搬送路は、挿入口に連結して設けられる第１搬送路と、前記第１搬送路から下流側に向けて延出し、前記第１搬送路に対して所定角度傾斜した第２搬送路とを備え、前記第２搬送路に、紙葉類の挿入口方向に向けての搬送を阻止するシャッタ部材を設置し、前記シャッタ部材は、前記第２搬送路を形成する開閉可能な開閉部材のフレームに回動可能に支持される支軸と、該支軸と一体に形成されて前記第２搬送路に向けて突出するシャッタとしての可動片とを有し、前記可動片にはその先端と前記支軸との間の回動方向端面側の位置に規制部が形成され、この規制部が前記フレームの停止壁に当接することで前記可動片の前記挿入口側に向けての回動が規制されることを特徴とする。
【０００７】
上記した構成の紙葉類処理装置によれば、紙葉類の引き抜き防止部材を構成するシャッタ部材は、挿入口に連結して設けられる第１搬送路に対して所定角度傾斜した第２搬送路に設置されていることから、挿入口からシャッタ部材を視認することが困難となり、紙葉類の引き抜き行為を防止することが可能となる。また、このような構成によれば、紙葉類がシャッタ部材を通過すると、紙葉類を引き抜こうとしても、シャッタ部材の挿入口側への回動が規制された状態になっているため、紙葉類の引き抜きを確実に防止することが可能となる。
【００１０】
また、本発明において、前記第２搬送路の下面部分には、前記シャッタ部材の先端部分が当接する位置に凹部が形成されていることを特徴とする。
【００１１】
このような構成によれば、回動可能に支持されているシャッタ部材は、その先端部分が凹部に位置して当接した状態にあるため、挿入口への回動がより確実に規制され、紙葉類の引き抜きを更に確実に防止することが可能となる。
【発明の効果】
【００１２】
本発明によれば、紙葉類の引き抜き行為を防止する紙葉類処理装置が得られる。
【発明を実施するための最良の形態】
【００１３】
図１から図６は、本発明に係る紙幣処理装置の一実施形態を示しており、図１は、全体構成を示す斜視図、図２は、開閉部材を装置本体の本体フレームに対して開いた状態を示す斜視図、図３は、装置本体の動力伝達部の構成を示す斜視図、図４は、挿入口から挿入される紙幣の搬送経路を概略的に示した右側面図、図５は、紙幣収容部に配設される押圧板を駆動するための動力伝達機構の概略構成を示す図、そして、図６は、紙幣搬送機構を駆動するための駆動源及び駆動力伝達機構の概略構成を示す左側面図である。
【００１４】
本実施形態の紙幣処理装置１は、例えば、スロットマシン等の各種の遊技機に組み込み可能に構成されており、装置本体２と、この装置本体２に設けられ、多数の紙幣を積層、収容することが可能な紙幣収容部（紙幣収容スタッカ）１００とを備えている。この紙幣収容部１００は金庫としての機能を備えており、装置本体２を構成するフレーム２Ａに対して着脱可能に構成されている。本実施形態では、例えば、図示されていないロック機構が解除された状態で、前面に設けられた取っ手１０１を引くことで、装置本体２のフレーム２Ａから取り外すことが可能となっている。
【００１５】
装置本体２は、図２及び図３に示すように、前記フレーム２Ａと、フレーム２Ａに対して一端部を回動中心として開閉されるように構成された開閉部材２Ｂとを有している。そして、これらフレーム２Ａ及び開閉部材２Ｂは、図４に示すように、開閉部材２Ｂをフレーム２Ａに対して閉じた際、両者の対向部分に紙幣が搬送される隙間（紙幣搬送路）３が形成されると共に、両者の前面露出側に、前記紙幣搬送路３に一致するようにして、紙幣挿入口５が形成されるよう構成されている。なお、前記紙幣挿入口５は、紙幣の短い辺側から装置本体２の内部に挿入できるようにスリット状の開口となっている。
【００１６】
前記装置本体２内には、紙幣を搬送する紙幣搬送機構６と、紙幣挿入口５に挿入された紙幣を検知する挿入検知センサ７と、挿入検知センサ７の下流側に設置され、搬送状態にある紙幣の情報を読取る紙幣読取手段８と、この紙幣読取手段８に対して、紙幣を正確に位置決めして搬送するスキュー補正機構１０と、紙幣がスキュー補正機構１０を構成する可動片を通過したことを検知する可動片通過検知センサ１２と、紙幣が紙幣収容部１００に排出されたことを検知する排出検知センサ１８とが設けられている。
【００１７】
以下、上記した各構成部材について、詳細に説明する。  
前記紙幣搬送路３は、紙幣挿入口５から奥側に向けて延出しており、第１搬送路３Ａと、前記第１搬送路３Ａから下流側に向けて延出し、第１搬送路３Ａに対して所定角度傾斜した第２搬送路３Ｂとを備えている。第２搬送路３Ｂの下流側は、下方に向けて傾斜するように屈曲され、最終的に鉛直方向に向けて屈曲するように形成されている。第２搬送路３Ｂには、紙幣収容部１００に紙幣を排出する排出口３ａが形成されており、ここから排出される紙幣は、鉛直方向に向けて、紙幣収容部１００の導入口（受入口）１０３に送り込まれる。
【００１８】
前記紙幣搬送機構６は、紙幣挿入口５から挿入された紙幣を挿入方向に沿って搬送可能にすると共に、挿入状態にある紙幣を紙幣挿入口５に向けて差し戻し搬送可能とする機構である。この紙幣搬送機構６は、装置本体２内に設置された駆動源であるモータ１３（図６参照）と、このモータ１３によって回転駆動され、紙幣搬送路３に紙幣搬送方向に沿って所定間隔おいて配設される搬送ローラ対（１４Ａ，１４Ｂ）、（１５Ａ，１５Ｂ）、（１６Ａ，１６Ｂ）、及び（１７Ａ，１７Ｂ）を備えている。
【００１９】
前記搬送ローラ対は、紙幣搬送路３に一部が露出するように設置されて、いずれも紙幣搬送路３の下側に設置される搬送ローラ１４Ｂ，１５Ｂ，１６Ｂ及び１７Ｂがモータ１３によって駆動されるローラとなっており、上側に設置される搬送ローラ１４Ａ，１５Ａ，１６Ａ及び１７Ａが、これらのローラに対して従動するピンチローラとなっている。なお、紙幣挿入口５から挿入された紙幣を最初に挟持して奥側に搬送する搬送ローラ対（１４Ａ，１４Ｂ）は、図２及び図３に示すように、紙幣搬送路３の中心位置に１箇所設置されており、その下流側に順次配置される搬送ローラ対（１５Ａ，１５Ｂ）、（１６Ａ，１６Ｂ）、及び（１７Ａ，１７Ｂ）については、紙幣搬送路３の幅方向に沿って、所定間隔をおいて２箇所設置されている。
【００２０】
また、上記した紙幣挿入口５の近傍に配置される搬送ローラ対（１４Ａ，１４Ｂ）については、通常は、上側の搬送ローラ１４Ａが下側の搬送ローラ１４Ｂから離間した状態となっており、紙幣の挿入が挿入検知センサ７によって検知されると、上側の搬送ローラ１４Ａが下側の搬送ローラ１４Ｂに向けて駆動され、挿入された紙幣を挟持するようになっている。
【００２１】
前記上側の搬送ローラ１４Ａについては、搬送ローラ１４Ｂに対して当接／離間するように駆動制御される。具体的には、前記スキュー補正機構１０によって、挿入された紙幣の傾きを無くし紙幣読取手段８に対して位置合わせする処理（スキュー補正処理）が行われる際には、上側の搬送ローラ１４Ａは、下側の搬送ローラ１４Ｂから離間して紙幣に対する負荷を解除し、スキュー補正処理が終了すると、再び、上側の搬送ローラ１４Ａが下側の搬送ローラ１４Ｂに向けて駆動され、紙幣を挟持する。スキュー補正機構１０は、スキューの補正を果たす左右一対の可動片１０Ａ（片側のみ図示）を備えており、スキュー駆動機構用のモータ４０を駆動することでスキューの補正処理が成される。
【００２２】
上記した紙幣搬送路３の下側に設置される搬送ローラ１４Ｂ，１５Ｂ，１６Ｂ及び１７Ｂは、図６に示すように、モータ１３、及び各搬送ローラの駆動軸の端部に設置されるプーリ１４Ｃ，１５Ｃ，１６Ｃ及び１７Ｃを介して回転駆動される。すなわち、モータ１３の出力軸には、駆動プーリ１３Ａが設置されており、上記した各搬送ローラの駆動軸の端部に設置されるプーリ１４Ｃ，１５Ｃ，１６Ｃ及び１７Ｃには、駆動プーリ１３Ａとの間で駆動ベルト１３Ｂが巻回されている。なお、駆動ベルト１３Ｂには、適所にテンションプーリが係合しており、弛みを防止している。
【００２３】
上記した構成により、モータ１３が正転駆動されると、前記搬送ローラ１４Ｂ，１５Ｂ，１６Ｂ及び１７Ｂは同期して正転駆動され、紙幣を挿入方向に向けて搬送し、モータ１３が逆転駆動されると、前記搬送ローラ１４Ｂ，１５Ｂ，１６Ｂ及び１７Ｂは同期して逆転駆動され、紙幣を紙幣挿入口５側に向けて搬送する。
【００２４】
前記挿入検知センサ７は、紙幣挿入口５に挿入された紙幣を検知した際に検知信号を発生するものであり、この検知信号が発せられると、モータ１３が正転駆動され、紙幣を挿入方向に向けて搬送する。本実施形態の挿入検知センサ７は、搬送ローラ対（１４Ａ，１４Ｂ）と、スキュー補正機構１０との間に設置されており、光学式のセンサ、例えば、回帰反射型フォトセンサによって構成されているが、それ以外にも、機械式のセンサによって構成されていても良い。
【００２５】
また、前記可動片通過検知センサ１２は、紙幣の先端が、前記スキュー補正機構１０を構成する左右一対の可動片１０Ａを通過したことを検知した際に検知信号を発生するものであり、この検知信号が発せられると、モータ１３の駆動が停止され、スキュー補正処理が成される。本実施形態の可動片通過検知センサ１２は、前記紙幣読取手段８の上流側に設置されており、前記挿入検知センサと同様、光学式のセンサや機械式のセンサによって構成される。
【００２６】
また、前記排出検知センサ１８は、通過する紙幣の後端を検知して、紙幣が紙幣収容部１００に排出されたことを検知するものであり、紙幣搬送路３の下流側において、紙幣収容部１００の受入口１０３の直前に配設されている。排出検知センサ１８から検知信号が発せられると、モータ１３の駆動が停止され、紙幣の搬送処理が終了する。この排出検知センサ１８についても、前記挿入検知センサと同様、光学式のセンサや機械式のセンサによって構成される。
【００２７】
前記紙幣読取手段８は、スキュー補正機構１０によってスキュー補正された状態（正確に位置決めされた状態）で搬送される紙幣について、その紙幣情報を読取り、その真贋を判定する。具体的には、例えば、搬送される紙幣の両面側から光を照射し、その透過光と反射光を受光素子で検知することで紙幣の読取を行うラインセンサによって構成することができる。図においては、ラインセンサが示されており、このラインセンサで読取った光信号は光電変換され、予め格納されている真券のデータと比較照合することで、搬送される紙幣の真贋を識別する。
【００２８】
前記紙幣を収容する紙幣収容部１００は、上記した紙幣読取手段８で真性と識別された紙幣を順次、積層、収容する。
【００２９】
図４から図６に示すように、紙幣収容部１００を構成する本体フレーム１００Ａは、略直方体形状に構成されており、その前壁１０２ａの内側には、付勢手段（付勢バネ）１０６の一端が取り付けられ、その他端には、上記した受入口１０３を介して送り込まれる紙幣を順次、積層する載置プレート１０５が設けられている。このため、載置プレート１０５は、前記付勢手段１０６を介して、後述する押圧板１１５側に向けて付勢された状態になっている。
【００３０】
本体フレーム１００Ａ内には、受入口１０３に連続するように、落下する紙幣をそのまま待機、保持させる押圧待機部１０８が設けられている。押圧待機部１０８の載置プレート側の両サイドには、鉛直方向に延出して一対の規制部材１１０が配置されている。この一対の規制部材１１０の間には、載置プレート１０５上に紙幣が順次、積層されるに際して、押圧板１１５が通過するように、開口部が形成されている。
【００３１】
また、本体フレーム１００Ａ内の両サイド壁には、載置プレート１０５が付勢手段１０６によって押圧された際、載置プレートが当て付くように、突出壁が形成されている。この突出壁は、載置プレート１０５上に紙幣が順次、積層されて、前記付勢手段１０６によって載置プレートが付勢された際、最上の紙幣の両サイドを当て付け、積層される紙幣を安定して保持する役目を果たす。
【００３２】
さらに、本体フレーム１００Ａ内には、受入口１０３から押圧待機部１０８に落下した紙幣を載置プレート１０５に向けて押圧する押圧板１１５が配設されている。この押圧板１１５は、前記一対の規制部材１１０の間に形成された開口部を往復移動できる程度の大きさに構成されており、この開口部内に入り込んで、紙幣を載置プレート１０５に押し付ける位置（押圧位置）と、前記押圧待機部１０８を開放する位置（初期位置）との間で往復駆動される。この場合、押圧板１１５の押し込み動作によって、紙幣は撓みながら開口部を通過して、載置プレート１０５上に載置される。
【００３３】
前記押圧板１１５は、本体フレーム１００Ａ内に配設される押圧板駆動機構１２０を介して、上記したように往復駆動される。押圧板駆動機構１２０は、押圧板１１５を図４及び図５の矢印Ａ方向に往復移動可能となるように、両端が押圧板１１５に軸支された一対のリンク部材１１５ａ，１１５ｂを備えており、これらのリンク部材１１５ａ，１１５ｂはＸ字状に連結され、それぞれの反対側の端部は、垂直方向（矢印Ｂ方向）に移動可能に設置された可動部材１２２に軸支されている。この可動部材１２２には、ラックが形成されており、このラックには、押圧板駆動機構１２０を構成するピニオンが噛合している。
【００３４】
このピニオンには、図５に示すように、押圧板駆動機構１２０を構成する収容部側ギヤトレイン１２４が連結されている。この場合、本実施形態においては、図３及び図５に示すように、上述した装置本体２内に、駆動源（モータ２０）と、このモータ２０に順次噛合する本体側ギヤトレイン２１が配設されており、紙幣収容部１００を装置本体２に装着すると、本体側ギヤトレイン２１が収容部側ギヤトレイン１２４に連結するようになっている。すなわち、収容部側ギヤトレイン１２４は、ピニオンと同軸上に配設されるギヤ１２４Ｂ、及びこれに順次噛合するギヤ１２４Ｃ，１２４Ｄを備えており、紙幣収容部１００を装置本体２のフレーム２Ａに対して着脱する際、ギヤ１２４Ｄが、本体側ギヤトレイン２１の最終ギヤ２１Ａと噛合、離間するよう構成されている。
【００３５】
この結果、上記した押圧板１１５は、装置本体２に設けられたモータ２０が回転駆動されることで、本体側ギヤトレイン２１、及び押圧板駆動機構１２０（収容部側ギヤトレイン１２４、可動部材１２２に形成されるラック、及びリンク部材１１５ａ，１１５ｂ等）を介して、矢印Ａ方向に往復駆動される。
【００３６】
また、本体フレーム１００Ａには、前記受入口１０３から搬入される紙幣に対して接触可能な搬送部材１５０が設置されている。この搬送部材１５０は、搬入される紙幣に接触して、安定して紙幣を押圧待機部１０８の適正位置（押圧板１１５で紙幣を押圧した際、紙幣が左右に片寄ることなく、安定して押圧できる位置）に案内する役目を果たす。本実施形態では、この搬送部材は、押圧待機部１０８に臨むように設置されたベルト状の部材（以下、ベルト１５０とする）によって構成されている。
【００３７】
この場合、ベルト１５０は、紙幣に対して搬入方向に沿って延在するように設置されており、搬入方向の両端部に回転可能に支持された一対のプーリ１５０Ａ，１５０Ｂに巻回されている。また、ベルト１５０は、受入口１０３の領域に回転可能に支持された軸方向に延出する搬送ローラ１５０Ｃと当接しており、受入口１０３に搬入された紙幣を挟持して、紙幣をそのまま押圧待機部１０８に案内するようにしている。さらに、本実施形態では、前記ベルト１５０は、紙幣の両サイドの表面に接触可能となるように、上記した押圧板１１５を挟むようにして左右一対設けられている。なお、ベルト１５０は、両端におけるプーリ１５０Ａ，１５０Ｂの巻回以外に、中間位置でテンションプーリを当て付け、弛みを防止するようにしても良い。
【００３８】
前記一対のベルト１５０は、装置本体２内に設置される上述した複数の搬送ローラを駆動するモータ１３によって駆動されるようになっている。具体的には、図６に示すように、モータ１３によって駆動される上述した駆動ベルト１３Ｂは、駆動力伝達用のプーリ１３Ｄに巻回されており、このプーリ１３Ｄに順次設置される動力伝達用のギヤトレイン１３Ｅには、受入口１０３側に回転可能に支持されているプーリ１５０Ａの支軸の端部に設置されたギヤトレイン１５３が噛合するようになっている。すなわち、紙幣収容部１００が装置本体２に装着された際、ギヤトレイン１３Ｅの最終ギヤには、ギヤトレイン１５３の入力ギヤが噛合するようになっており、一対のベルト１５０は、モータ１３の回転駆動により、上述した紙幣搬送用の搬送ローラ１４Ｂ，１５Ｂ，１６Ｂ，１７Ｂと一体的に回転駆動されるようになっている。
【００３９】
上述したように、紙幣が紙幣挿入口５を介して内部に挿入されると、紙幣は、上記した紙幣搬送機構６によって、紙幣搬送路３内で移動して行く。紙幣搬送路３は、図４に示すように、紙幣挿入口５から奥側に向けて延出した第１搬送路３Ａと、前記第１搬送路３Ａから下流側に向けて延出し、第１搬送路３Ａに対して所定角度傾斜した第２搬送路３Ｂとを備えており、この第２搬送路３Ｂには、紙幣挿入口５側に向けて紙幣の搬送を阻止するシャッタ部材２００が設置されている。
【００４０】
以下、この第２搬送路３Ｂに設置されるシャッタ部材２００の構成について、図４、図７及び図８を参照して説明する。
【００４１】
シャッタ部材２００は、装置本体２のフレーム２Ａに対して一端部を回動中心として開閉されるように構成された開閉部材２Ｂ（図２、図３参照）に装着されている。具体的には、開閉部材２Ｂを装置本体２のフレーム２Ａに閉じた際に形成される紙幣搬送路３の内、第１搬送路３Ａの下流側に形成される第２搬送路３Ｂの上方で、前記搬送ローラ対（１６Ａ，１６Ｂ）を構成する上側のローラ１６Ａの下流側に設置されている。この場合、シャッタ部材２００は、第２搬送路３Ｂの幅方向において、少なくとも１箇所（例えば、中央の１箇所）配置されていれば良いが、所定間隔をおいて複数箇所設置されていても良い。本実施形態では、図２及び図３に示すように、所定間隔をおいて、幅方向に２箇所設置されており、このように幅方向において、複数箇所設置しておくことで、紙幣の引き抜きをより効果的に防止することが可能となる。
【００４２】
シャッタ部材２００は、開閉部材２Ｂを構成するフレーム２Ｆに回転可能に支持される支軸２０１を備えており、この支軸２０１の略中央に形成された円柱部２０１ａには、第２搬送路３Ｂに向けて突出する可動片（シャッタ）２０２が一体形成されている。また、円柱部２０１ａの可動片と反対側には、係止片２０３が一体形成されており、この係止片２０３の係止部２０３ａには、一端がフレーム２Ｆに掛けられた付勢手段（引張バネ）２０５の他端が係止されている。これにより、可動片２０２は、図７において、前記引張バネ２０５の付勢力により、支軸２０１を中心にして、矢印方向に回動付勢されている。
【００４３】
前記可動片２０２には、回動方向端面側に、規制部２０２ａが形成されており、この規制部２０２ａがフレーム２Ｆの停止壁２Ｆ´に当接することで、可動片２０２の回動が規制された状態となっている。そして、この回動規制状態では、可動片２０２の先端領域２０２ｂは、図８（ａ）に示すように、第２搬送路３Ｂを閉塞している。
【００４４】
また、前記第２搬送路３Ｂの下面部分には、シャッタ部材の可動片２０２の先端部分が当接する位置に、凹部３Ｒが形成されている。この凹部３Ｒは、第２搬送路３Ｂの下面に窪むように形成されており、前記可動片２０２の回動が前記フレーム２Ｆの停止壁２Ｆ´に当接して規制された際、可動片２０２の先端２０２ｃが凹部３Ｒ内に位置するようになっている。
【００４５】
上記したシャッタ部材２００を構成する可動片２０２は、図８（ａ）に示すように、紙幣Ｍが、上述した紙幣搬送機構によって紙幣挿入口側から搬送されてくると、その紙幣Ｍのコシによって、付勢バネ２０５の付勢力に抗して反時計回り方向に回動され、紙幣Ｍは、図８（ｂ）に示すように、回動した可動片２０２を通過して、更に、紙幣収容部側に向けて搬送される、
そして、紙幣がシャッタ部材２００を通過すると、前記可動片２０２は、付勢バネ２０５の付勢力により時計回り方向に回動され、規制部２０２ａが停止壁２Ｆ´に当接することで回動が規制されて、図８（ａ）に示すように、第２搬送路３Ｂを再び閉塞する。
【００４６】
上記したように構成されるシャッタ部材２００は、紙幣挿入口５に連結して設けられる第１搬送路３Ａに対して所定角度傾斜した第２搬送路３Ｂに設置されていることから、紙幣挿入口５からシャッタ部材２００を視認することが困難となり、紙幣の引き抜き行為を防止することが可能となる。また、第２搬送路３Ｂは、第１搬送路３Ａに対して傾斜しているため、硬質の棒状部材を差し込んでも、シャッタ部材２００にアクセスすることが困難となり、紙幣の引き抜き行為を防止することが可能となる。
【００４７】
また、シャッタ部材２００を構成する可動片２０２は、付勢バネ２０５を介してフレーム２Ｆに回動可能に支持されており、規制部２０２ａが停止壁２Ｆ´に当接することで紙幣挿入口側に向けての回動が規制されているため、一旦、紙幣が可動片２０２を通過すると、紙幣を引き抜こうとしても、可動片２０２の紙幣挿入口側への回動が規制されてしまい、紙幣の引き抜きを確実に防止することが可能となる。
【００４８】
特に、前記第２搬送路３Ｂの下面部分に、凹部３Ｒが形成されており、この凹部３Ｒ内に、可動片２０２の先端２０２ｃが位置するようになっているため、紙幣挿入口側への回動がより確実に規制されるようになり、紙幣の引き抜きを更に確実に防止することが可能となる。
【００４９】
さらに、紙幣搬送中に、紙幣が第１搬送路（平後面）３Ａと第２搬送路（傾斜面）３Ｂに位置した際、上記したシャッタ部材２００により紙幣を押さえ付けることができ、搬送がスムーズになる。
【００５０】
以上、本発明の実施形態について説明したが、本発明は、上記した実施形態に限定されることなく、種々変形して実施することが可能である。上述したシャッタ部材２００は、紙幣搬送路３の内、第１搬送路に対して所定角度傾斜した第２搬送路３Ｂに設置されて、紙幣の紙幣挿入口方向に向けての搬送を阻止するように構成されていれば良く、その具体的な構造については、適宜変形することが可能である。例えば、シャッタ部材は、回動して搬送路を閉塞する構成以外にも、第２搬送路３Ｂの表面から突没して搬送路を閉塞するように構成されていても良い。また、紙幣処理装置内に設置される上述した各種の駆動部材、及びこれらを駆動する駆動源、更には、その駆動源からの動力伝達機構については、適宜変形することが可能である。
【産業上の利用可能性】
【００５１】
本発明に係る紙葉類処理装置は、紙幣に限らず、クーポーン券のような紙葉類が挿入されたことで、商品やサービスが提供される各種の装置に組み込むことが可能である。
【図面の簡単な説明】
【００５２】
【図１】本実施形態に係る紙幣処理装置の構成を示す図であり、全体構成を示す斜視図。
【図２】開閉部材を装置本体の本体フレームに対して開いた状態を示す斜視図。
【図３】装置本体の動力伝達部の構成を示す斜視図。
【図４】挿入口から挿入される紙幣の搬送経路を概略的に示した右側面図。
【図５】紙幣収容部に配設される押圧板を駆動するための動力伝達機構の概略構成を示す図。
【図６】紙幣搬送機構を駆動するための駆動源及び駆動力伝達機構の概略構成を示す左側面図。
【図７】第２搬送路に設置されるシャッタ部材の構成を示す図。
【図８】（ａ）は、シャッタ部材が第２搬送路を閉塞している状態を示す図、（ｂ）は、紙幣が紙幣収容部側に向けて搬送され、シャッタ部材を通過する状態を示す図。
【符号の説明】
【００５３】
１  紙幣処理装置
２  装置本体
２Ａ  フレーム
２Ｂ  開閉部材
２Ｆ  フレーム
３  紙幣搬送路
３Ａ  第１搬送路
３Ｂ  第２搬送路
３Ｒ  凹部
５  紙幣挿入口
６  紙幣搬送機構
８  紙幣読取手段
１０  スキュー補正機構
１００  紙幣収容部
２００  シャッタ部材
２０２  可動片
２０２ａ  規制部
【図１】
0005388265.tif 000002
【図２】
0005388265.tif 000003
【図３】
0005388265.tif 000004
【図４】
0005388265.tif 000005
【図５】
0005388265.tif 000006
【図６】
0005388265.tif 000007
【図７】
0005388265.tif 000008
【図８】
0005388265.tif 000009